(57)【要約】【課題】内容物の十分な収容量を確保することができ、内容物の漏洩を防止した携帯型液状化粧品容器を提供すること。【解決手段】一方に開口された注入口１２ｄと他方に吐出孔が形成された吐出部１２ａを有する筒状の本体１２と、本体１２に嵌め込まれ、内周面に雌ねじが形成された雌ねじ部材１３と、本体１２に取り付けられる上蓋１１と、一方の外周面に雄ねじ１４ａと、他方に鍔部１４ｂが形成され、雌ねじ部材１３に取り付けられて注入口１２ｄを覆う底蓋１４とからなり、雌ねじ部材１３の壁部の端面は本体の壁部の端面より内側で、かつ鍔部１４は少なくとも本体１２と雌ねじ部材１３の接合面を覆うことができる外径を有している。【選択図】　　図１
2004129712.tif 000002
【特許請求の範囲】
【請求項１】
一方に開口された注入口と、他方に先端に吐出孔が形成された吐出部と、略中央に液状化粧品を収容する収容部を有する筒状の本体と、該本体よりも小径であって該本体内に嵌め込まれ、該本体の前記注入口側の内周面に雌ねじが形成された雌ねじ部材と、前記本体に取り付けられ前記吐出部を覆う上蓋と、一方に外周面に前記雌ねじ部材の雌ねじと螺合する雄ねじと、他方に該雄ねじを支持する鍔部が形成され、前記雌ねじ部材に取り付けられて前記注入口を覆う底蓋とを備え、前記注入口における雌ねじ部材の壁部の端面は前記本体の壁部の端面より内側に設けられ、かつ前記鍔部が、少なくとも前記本体と前記雌ねじ部材の接合面を覆うことができる外径を有していることを特徴とする携帯型液状化粧品容器。
【請求項２】
一方に開口され内周面に雌ねじが形成された注入口と、略中央に液状化粧品を収容する収容部を有する筒状の本体と、一方に該本体の注入口の雌ねじと螺合する雄ねじが外周面に形成され、他方に先端に吐出孔が形成された吐出部材と、前記本体に取り付けられ前記吐出部材を覆う上蓋とを備えたことを特徴とする携帯型液状化粧品容器。
【請求項３】
一方に開口され内周面に雌ねじが形成された注入口と、他方に先端に吐出孔が形成された吐出部と、略中央に液状化粧品を収容する収容部を有する筒状の本体と、該本体に取り付けられ前記吐出部を覆う上蓋と、一方に外周面に前記本体の雌ねじと螺合する雄ねじと、他方に該雄ねじを支持する鍔部が形成され、前記本体に取り付けられ前記注入口を覆う底蓋とを備え、前記注入口における本体の壁部の端面が内側に傾斜し、かつ前記鍔部が、少なくとも前記本体の外径とほぼ等しい外径を有していることを特徴とする携帯型液状化粧品容器。
【請求項４】
前記吐出部又は前記吐出部材は、前記吐出孔の内側に回動自在に収容される小球を備えたものであることを特徴とする請求項１乃至請求項３のいずれかに記載の携帯型液状化粧品容器。
【請求項５】
前記液状化粧品は、香水、化粧水、乳液からなる群より選ばれた一つであることを特徴とする請求項１乃至請求項４のいずれかに記載の携帯型液状化粧品容器。
【発明の詳細な説明】
【０００１】
【発明の属する技術分野】
本発明は携帯型液状化粧品容器に関し、特に、内容物の漏洩を防止した携帯型液状化粧品容器に関する。
【０００２】
【従来の技術】
液状の化粧品、特に香水などは、付けてから２〜３時間したら蒸発してしまうので、外出前に家で用いるだけでなく、外出中に化粧直しのために外で使用されることがある。この場合、購入した化粧品をそのままの容器で持ち歩くのは不便である。このため、従来より携帯型液状化粧品容器が開発されている。
【０００３】
図８は、従来の携帯型液状化粧品容器を示す分解斜視図、図９は、その上蓋を外した状態の断面図である。
携帯型液状化粧品容器４０は、吐出部４２ａ及び注入口４２ｄを有する本体４２と、本体４２よりも小径で本体内に嵌め込まれる雌ねじ部材４３と、雌ねじ部材４３と螺合して本体４２の注入口４２ｄを覆う底蓋４４と、本体４２に取り付けられ吐出部４２ａを覆う上蓋４１とから主に構成されている。
【０００４】
上蓋４１は、一方の端部が開口しており、他方が略半球形状を有する略円筒形状を有している。開口部分の内周面には、例えば、本体４２と螺合する雌ねじが形成されている（図示せず。）。また、先端は略円錐形状部分に縮径されて、通し穴が形成されている（図示せず。）。この通し穴には、例えば、リング４１ａが挿通され、そのリング４１ａに鎖などを通して携帯型液状化粧品容器４０を、例えば、ハンドバッグなどの所望の箇所に繋ぐことができるようになっている。
【０００５】
本体４２は、略円筒形状を有しており、一方の端部は開口して注入口４２ｄを形成し、他方の端部には吐出部４２ａが設けられている。本体４２の略中央には香水を収容する収容部４２ｅが形成され、注入口４２ｄより所定量の香水を注入、収容することができるようになっている。
【０００６】
本体４２の注入口４２ｄ側には、同様の略円筒形状で本体４２よりも小径であり、双方の端部が開口された雌ねじ部材４３が嵌め込まれている。雌ねじ部材４３の本体４２の内周面には底蓋４４と螺合するための雌ねじ４３ｂが形成され、また、その端部には鍔部４３ａが形成されている。鍔部４３ａは、雌ねじ部材４３が本体４２に嵌め込まれたときに壁部４２ｈに当接し、雌ねじ部材４３を所定の位置で固定するためのものである。
また、本体４２内には香水を染み込ませるための綿材４７が配置され、さらに、綿材４７と本体４２との間の空間においても香水を収容できる。
【０００７】
吐出部４２ａは、略半球状の小径部分が本体４２の注入口４２ｄの他方の端部から延出することにより形成される。この小径部分の本体４２側の外周面には、上蓋４１を取り付けるための、例えば、雄ねじ４２ｃが形成されている。また、小径部の先端には、香水を吐出するための吐出孔４２ｆが形成され、その内側には、ばね４２ｉと小球４２ｂが回動自在に収容されている。通常、吐出孔４２ｆは、ばね４２ｉの弾力で押し付けられる小球４２ｂにより塞がれている。
【０００８】
底蓋４４は、雌ねじ部材４３の内径よりも径が小さい円筒状の小径部分が断面略楕円形状の鍔部４４ｂから延出されている。この小径部分の側面には、雌ねじ部材４３の雌ねじ４３ｂと螺合するための雄ねじ４４ａが形成されている。
【０００９】
また、Ｏリング４５とＯリング４６は、例えば、ゴムなどの弾性素材により形成されるもので、底蓋４４を本体４２と螺合するときには、雌ねじ部材４３と本体４２との間にＯリング４５を介在させる。また、上蓋４１を本体４２に取り付けるときには、上蓋４１と本体４２との間にＯリング４６を介在させる。
【００１０】
【発明が解決しようとする課題】
このような携帯型液状化粧品容器４０の構成では、雌ねじ部材４３の鍔部４３ａが本体４２の壁部４２ｈに接しているが、雌ねじ部材４３は本体４２に嵌め込まれているに過ぎない。したがって、本体４２と雌ねじ部材４３の接合面は外部と連通し、本体４２に収容されている香水は雌ねじ部材４３と本体４２の壁部４２ｇとの間の界面Ｂを伝わって外部に染み出る。その結果、香水が外部に漏れ出してしまうという問題がある。このため、前記のごとく、本体４２には綿材４７を配置して漏洩を少なくしている。しかしながら、綿材４７を配置することで、収容できる香水の量は少なくなり、しかもまだ完全に香水の漏洩を防止することができない。
【００１１】
本発明はかかる点に鑑みてなされたものであり、液状化粧品の十分な収容量を確保することができ、その漏洩をほとんど防止することができる携帯型液状化粧品容器を提供することを目的とする。
【００１２】
【課題を解決するための手段】
上記課題を解決するために請求項１に記載された本発明は、一方に開口された注入口と、他方に先端に吐出孔が形成された吐出部と、略中央に液状化粧品を収容する収容部を有する筒状の本体と、該本体よりも小径であって該本体内に嵌め込まれ、該本体の前記注入口側の内周面に雌ねじが形成された雌ねじ部材と、前記本体に取り付けられ前記吐出部を覆う上蓋と、一方に外周面に前記雌ねじ部材の雌ねじと螺合する雄ねじと、他方に該雄ねじを支持する鍔部が形成され、前記雌ねじ部材に取り付けられて前記注入口を覆う底蓋とを備え、前記注入口における雌ねじ部材の壁部の端面は前記本体の壁部の端面より内側に設けられ、かつ前記鍔部が、少なくとも前記本体と前記雌ねじ部材の接合面を覆うことができる外径を有している携帯型液状化粧品容器であることを特徴とする。
【００１３】
この構成によれば、本体と雌ねじ部材との接合面が底蓋の鍔部により覆われることで外部と遮断されるので、収容部に収容されている液状化粧品が本体と雌ねじ部材との界面を伝わって外部に染み出ることが防止され、液状化粧品が外部に漏れ出すことがない。また、この構成によれば、綿材を収容する必要もなく、十分な液状化粧品の量を確保することが可能となる。
【００１４】
また、請求項２に記載された本発明は、一方に開口され内周面に雌ねじが形成された注入口と、略中央に液状化粧品を収容する収容部を有する筒状の本体と、一方に該本体の注入口の雌ねじと螺合する雄ねじが外周面に形成され、他方に先端に吐出孔が形成された吐出部材と、前記本体に取り付けられ前記吐出部材を覆う上蓋とを備えた携帯型液状化粧品容器であることを特徴とする。
【００１５】
この構成によれば、そもそも本体には注入口以外に液状化粧品が漏洩する隙間が存在しないため、該注入口に吐出部材を取り付けて塞ぐことにより、液状化粧品が外部に漏洩することを防止することが可能となる。また、この構成によれば、綿材を使用する必要もなく、十分な液状化粧品の量を確保することが可能となる。
【００１６】
請求項３に記載された本発明は、一方に開口され内周面に雌ねじが形成された注入口と、他方に先端に吐出孔が形成された吐出部と、略中央に液状化粧品を収容する収容部を有する筒状の本体と、該本体に取り付けられ前記吐出部を覆う上蓋と、一方に外周面に前記本体の雌ねじと螺合する雄ねじと、他方に該雄ねじを支持する鍔部が形成され、前記本体に取り付けられ前記注入口を覆う底蓋とを備え、前記注入口における本体の壁部の端面が内側に傾斜し、かつ前記鍔部が、少なくとも前記本体の外径とほぼ等しい外径を有している携帯型液状化粧品容器であることを特徴とする。
【００１７】
この構成によれば、簡易な構造であって、本体の注入口が内側に傾斜して底蓋の鍔部により覆われることで外部とほぼ遮断されるので、収容部に収容されている液状化粧品が注入口と底蓋の間の界面を伝わって外部に染み出ることがほとんど防止され、液状化粧品が外部に漏れ出すことがない。また、この構成によれば、綿材を収容する必要もなく、十分な液状化粧品の量を確保することが可能となる。
【００１８】
さらに、請求項４に記載された本発明は、前記吐出部又は前記吐出部材は、前記吐出孔の内側に回動自在に収容される小球を備えた請求項１乃至請求項３のいずれかに記載の携帯型液状化粧品容器であることを特徴とする。
【００１９】
この構成によれば、不使用時には吐出孔は小球により密封され、液状化粧品が外部に漏洩することを防止することができ、また、適量ずつ液状化粧品を吐出すことが可能となる。
【００２０】
くわえて、請求項５に記載された本発明は、前記液状化粧品は、香水、化粧水、乳液からなる群より選ばれた一つである請求項１乃至請求項４のいずれかに記載の携帯型液状化粧品容器であることを特徴とする。
【００２１】
【発明の実施の形態】
以下、本発明の実施の形態について、添付図面を参照して詳細に説明する。
【００２２】
（実施の形態１）
本実施の形態においては、収容される液状化粧品が香水である場合について説明する。図１は、本発明の実施形態１に係る携帯型液状化粧品容器１０を示す分解斜視図、図２は、その断面図である。
【００２３】
携帯型液状化粧品容器１０は、香水を注入する注入口１２ｄ及び香水を吐出する吐出部１２ａ、香水を収容する収容部を有する本体１２と、本体１２に取り付けられ、吐出部１２ａを覆う上蓋１１と、本体１２と螺合可能であり、注入口１２ｄを覆う底蓋１４とから主に構成されている。
【００２４】
上蓋１１は、一方の端部は全面的に開口しており、他方は半球の略円筒形状をなすものである。開口部分の内側には、本体１２に取り付けるための、例えば、雌ねじが形成されている（図示せず。）。また、先端は縮径されて、通し穴が形成されている（図示せず。）。この通し穴には、さらにリング１１ａが挿通され、そのリング１１ａに鎖などを通すことにより、携帯型液状化粧品容器を、例えば、ハンドバックなどの所望の箇所に繋ぐことができる。
【００２５】
本体１２は、全体的に略円筒形状を有しており、一方の端部は全面的に開口して注入口１２ｄを形成し、注入口１２ｄより所定量の液状化粧品を簡単に注入できる。
また、他方には、本体１２よりも径が小さい円筒状の小径部分が延出して吐出部１２ａが形成されている。この吐出部１２ａの側面には、例えば、上蓋１１を取り付けるための雄ねじ１２ｃが形成され、その先端には、香水を吐出するための吐出孔１２ｅとその内側には、ばね１２ｉと小球１２ｂが回動自在に収容されている。通常、吐出孔１２ｅは、ばね１２ｉの弾発力で押し付けられる小球１２ｂにより塞がれている。
【００２６】
本体１２内には、同様に全体として略円筒形状を有し、本体１２よりも小径であり、注入口１２ｄ側の内周面に雌ねじ１３ａが形成された雌ねじ部材１３が嵌めこまれている。この雌ねじ部材１３の壁部１３ｂの端面は、本体１２の注入口１２ｄ側の本体１２の壁部１２ｈの端面よりも内側に位置している。すなわち、図２に示すように、壁部１２ｈの端面よりも壁部１３ｂの端面の方がＤだけ内側に位置するように構成されている。なお、雌ねじ部材１３の長さを本体１２の肩部１２ｇから注入口１２ｄまでの長さより若干短く設計しておくことにより、雌ねじ部材１３は本体１２の内側に収容される。
また、図中１２ｆは、雌ねじ部材１３内に形成される空間で、香水を収容する収容部を示す。
【００２７】
底蓋蓋１４には、本体１２よりも径が小さい円筒状の小径部分が断面略楕円形状の鍔部１４ｂから延出されている。この小径部分の外周面には、雌ねじ部材１３の雌ねじ１３ａと螺合するための雄ねじ１４ａが形成されている。また、鍔部１４ｂは、少なくとも本体１２の壁部１２ｈと雌ねじ部材１３の壁部１３ｂの接合面Ｂを覆うことができる長さの外径を有する。
【００２８】
このような構成を有する携帯型液状化粧品容器１０に香水を注入する場合、雌ねじ部材１３が嵌め込まれた状態で本体１２の注入口１２ｄを上にして、その収容部１２ｆに香水を注入する。その後、底蓋１４のねじ１４ａを雌ねじ部材１３のねじ１３ａと螺合させて、注入口１２ｄを塞ぐ。このとき、底蓋１３と本体１２との間にはＯリング１５を介在させる。このＯリング１５は、本体１２の壁部１２ｈと雌ねじ部材１３の壁部１３ｂの長さの違いにより形成される隙間に配置される。
【００２９】
このような状態において、雌ねじ部材１３の壁部１３ｂの端面は本体１２の壁部１２の壁部１２ｈの端面よりも内側に位置し、かつ本体１２と雌ねじ部材１３の接合面Ｂは底蓋１４の鍔部１４ｂによって塞がれている。くわえて、底蓋１４は雌ねじ部材１３と螺合し、本体１２に密着して取り付けられている。したがって、雌ねじ部材１３と本体１２の壁部１３ｂとの間の接合面Ｂは外部と連通しない。このため、収容部１２ｆに収容されている香水が界面Ｂを伝わって外部に染み出ることが防止され、その結果、香水が外部に漏れ出すことはない。また、このような構成により、香水の漏洩を防止できるので、収容部１２ｆに綿材などを配置する必要もなく、十分な香水の量を収容することができる。
【００３０】
また、吐出部１２ａは、雄ねじ１２ｃと上蓋１１の雌ねじを螺合させて、上蓋１１を本体１２に取り付けることにより完全に覆われる。このとき、さらに、上蓋１１と本体１２との間にはＯリング１４を介在させる。
【００３１】
このように上蓋１１、本体１２、及び底蓋１３を一体化して形成される携帯型液状化粧品容器１０は、リング１１ａに鎖などを通し、例えば、ハンドバックの所望の箇所に繋いで携帯することができ、液状化粧品が漏れる心配がない。
【００３２】
図３は、吐出部１２ａを示す拡大断面図である。すなわち、香水をつける場合には、上蓋１１を本体１２から取り外し、吐出部１２ａを付着場所に当接させる。収容部１２ｆに収容された香水は、通路１７を経て小球１２ｂまで到達する。そして、本体１２を付着場所に押し付けると、ばね１２ｉの弾発力で吐出孔１２ｅを塞いでいた小球１２ｂが通路１７の内側に若干入り込み、吐出孔１２ｅが若干開いてそこから香水が染み出す。これにより、適量な香水を簡単に所望の箇所に付着することができる。
【００３３】
（実施の形態２）
本実施の形態においては、液状化粧品が香水である場合について説明する。
図４は、本発明の実施の形態２に係る携帯型液状化粧品容器を示す分解斜視図、図５は、その断面図である。
【００３４】
携帯型液状化粧品容器２０は、香水を注入する注入口を有し香水を収容する本体２３と、本体２３と螺合可能であり、香水を吐出する吐出部材２２と、本体２３に取り付けられ、吐出部材２２を覆う上蓋２１とから主に構成されている。
【００３５５】
上蓋２１は、一方の端部は全面的に開口しており、他方が半球の略円筒形状をなすものである。開口部分の内側には、本体２３に取り付けるための、例えば、雌ねじが形成されている（図示せず。）。また、略円筒形状部分は、先端で縮径されており、その部分には、通し穴（図示せず。）が形成されている。この通し穴には、さらにリング２１ａが挿通され、そのリング２１ａに鎖などを通すことにより、携帯型液状化粧品容器２０を、例えば、ハンドバックなどの所望の箇所に繋ぐことができる。
【００３６】
本体２３は、全体的に略円筒形状を有しており、一方の端部は全面的に開口して注入口２３ｂを形成し、注入口２３ｂより所定量の液状化粧品を簡単に注入できる、また、本体２３の他方の端部は閉塞している。そして、注入口２３ｂ側では本体２３から径が小さい円筒状の小径部分が延出し、その小径部分の外側面には、上蓋２１と螺合するための雄ねじ２３ａが形成されている。また、図中２３ｄは、香水を収容する収容部を示す。
【００３７】
吐出部材２２は、一方に径が小さい小径部分と、他方の先端が半球の略円筒形状を形成するものである。小径部分の外周面には、本体２３の内周面に形成された雌ねじ２３ｃと螺合するための雄ねじ２２ｃが形成されている。また、先端には、収容部に収容されている香水を吐出するための吐出孔２２ｄとその内側には、ばね２２ｉと小球２２ｅが回動自在に収容されている。通常、吐出孔２２ｄは、ばね２２ｉの弾発力で押し付けられる小球２２ｅにより塞がれている。
【００３８】
このような構成を有する携帯型液状化粧品容器２０に香水を注入する場合、まず、本体２３の注入口２３ｂより注入し、収容部２３ｄに香水を収容する。その後、吐出部材２２の雄ねじ２２ｃを本体２３の雌ねじ２３ｃに螺合させて本体２３の注入口２３ｂを塞ぐ。このとき、吐出部材２２と本体２３との間にはＯリング２５を介在させる。
【００３９】
このような状態において、注入口２３ｂ以外に香水が漏洩する隙間がない本体２３は、吐出部材２２を螺合させて塞ぐことにより、香水が外部に漏洩することが防止される。また、このような構成により、香水の漏洩を防止できるので、収容部２３ｄに綿材などを配置する必要もなく、十分な香水の量を確保することができる。
【００４０】
そして、本体２３と上蓋２１とを螺合させて、上蓋２１で吐出部材２２を覆う。すなわち、上蓋２１の雌ねじと本体２３の小径部分の雄ねじ２３ａとを螺合させる。このとき、上蓋２１と本体２３との間にはＯリング２４を介在させる。
【００４１】
このように上蓋２１、吐出部材２２、及び本体２３を一体化することにより、リング２１ａに通された鎖などで、携帯型液状化粧品容器２０を所望の場所、例えばペンダントのように首に掛けて使用することもでき、液状化粧品が漏れる心配がない。
【００４２】
香水をつける場合には、上蓋２１を本体２３から取り外し、吐出部材２２の先端を付着場所に当接させる。吐出部材２２は携帯型液状化粧品容器１０の吐出部１２ａと同様に構成されているので、収容部２３ｄに収容された香水は、通路を経て小球２２ｅまで到達する。そして、本体２３を付着場所に押し付けると、小球２２ｅが通路の内側に若干入り込み、吐出孔２２ｄの小球２２ｅを支持している部分が若干開いてそこから香水が染み出す。これにより、香水を付着場所に付着させることできる。
【００４３】
（実施の形態３）
本実施の形態においては、液状化粧品が香水である場合について説明する。
図６は、本発明の実施の形態３に係る携帯型液状化粧品容器３０を示す分解斜視図であり、図７は、その断面図である。
【００４４】
携帯型液状化粧品容器３０は、香水を注入する注入口３２ｄ及び香水を吐出する吐出部３２ａを有する本体３２と、本体３２に取り付けられ、吐出部３２ａを覆う上蓋３１と、本体３２と螺合可能であり、注入口３２ｄを覆う底蓋３４とから主に構成されている。
【００４５】
上蓋３１は、一方の端部は全面的に開口しており、他方は先端が半球の略円筒形状をなすものである。開口部分の内側には、本体３２に取り付けるための、例えば、雌ねじが形成されている（図示せず。）。また、略円筒形状部分は、先端で縮径されており、その部分には、通し穴が形成されている（図示せず。）。この通し穴には、さらにリング３１ａが挿通され、そのリング３１ａに鎖などを通すことにより、携帯型液状化粧品容器３０を、例えば、ハンドバックなどの所望の箇所に繋ぐことができる。
【００４６】
本体３２は、全体的に略円筒形状を有しており、一方の端部は全面的に開口して注入口３２ｄを形成し、注入口３２ｄより所定量の液状化粧品を簡単に注入できる。注入口３２ｄ側の内周面には雌ねじ３２ｅが形成され、その壁部３２ｇの端面は内側に凹んだ傾斜面を形成している。また、図中３２ｆは、本体３２内に形成される香水を収容する収容部を示す。
【００４７】
本体３２の他方には、本体３２よりも径が小さい円筒状の小径部分が延出して吐出部３２ａが形成されている。小径部分の外周面には、例えば、上蓋３１を取り付けるための雄ねじ３２ｃが形成され、小径部分の先端には、香水を吐出するための吐出孔３２ｈと吐出孔３２ｈの内側には、ばね３２ｉと小球３２ｂが回動自在に収容されている。
【００４８】
底蓋蓋３４には、本体３２よりも径が小さい円筒状の小径部分が断面略三角形状の鍔部３４ｂから延出されている。この小径部分の外周面には、本体３２の雌ねじ３２ｅと螺合するための雄ねじ３４ａが形成されている。また、鍔部３４ｂは、本体３２の注入口３２ｄとほぼ同様の傾斜面を有し、本体３２の外径とほぼ等しい外径を有している。
【００４９】
このような構成を有する携帯型液状化粧品容器３０に香水を注入する場合、まず、本体３２の注入口３２ｄを上にして、その収容部３２ｆに香水を注入する。その後、底蓋３４の雄ねじ３４ａを本体３２の雌ねじ３２ｅと螺合して、本体３２の注入口３２ｄを塞ぐ。このとき、底蓋３４と本体３２との間にはＯリング３５を介在させる。
【００５０】
このような状態において、本体３２の注入口３２ｄ側の端面３２ｇは内側に傾斜し、かつ注入口３２ｄは底蓋３４の鍔部３４ｂによって塞がれる。くわえて、底蓋３４は本体３２に螺合して取り付けられ、双方は密着している。したがって、注入口３２ｄと底蓋３４の間の隙間は外部と連通しない。このため、収容部３２ｆに収容されている香水が本体３２と底蓋３４との間の隙間を伝わって外部に染み出ることがほぼ防止され、その結果、香水が外部に漏れ出すことはない。また、このような簡単な構成で、香水の漏洩をほぼ防止できるので、収容部３２ｆに綿材などを配置する必要がなく、十分な香水の量を収容することができる。
【００５１】
以上のように本発明の携帯型液状化粧品容器について説明したが、本発明は上記実施の形態１、２、３に限定されず、種々変更して実施することが可能である。
例えば、上記実施の形態１、２、３では、液状化粧品が香水である場合について説明しているが、本発明は、液状化粧品が液体であれば、化粧水、乳液のような他の液状化粧品でも適用することができる。また、上記実施の形態１、２、３では、上蓋は螺合することにより本体に取り付けられる場合を説明したが、上蓋の内周面と本体の外周面にそれぞれ凹凸部を形成し、単に上蓋と本体を挟合するような構成としても良い。本発明に係る携帯型液状化粧品容器においては、液状化粧品が上記した漏洩しない構造を有していれば、他の構造については上記実施の形態１、２、３に限定されない。
【００５２５】
【発明の効果】
以上説明したように本発明によれば、十分な収容量の液状化粧品を確保することができ、液状化粧品の漏洩を防止した携帯型液状化粧品容器を提供することができる。
【図面の簡単な説明】
【図１】本発明の実施の形態１に係る携帯型液状化粧品容器を示す分解斜視図である。
【図２】本発明の実施の形態１に係る携帯型液状化粧品容器の上蓋を外した状態を示す断面図である。
【図３】本発明の実施の形態１に係る携帯型液状化粧品容器の吐出部を示す拡大断面図である。
【図４】本発明の実施の形態２に係る携帯型液状化粧品容器を示す分解斜視図である。
【図５】本発明の実施の形態２に係る携帯型液状化粧品容器の上蓋を外した状態を示す断面図である。
【図６】本発明の実施の形態３に係る携帯型液状化粧品容器を示す分解斜視図である。
【図７】本発明の実施の形態３に係る携帯型液状化粧品容器の上蓋を外した状態を示
す断面図である。
【図８】従来の携帯型液状化粧品容器を示す分解斜視図である。
【図９】従来の携帯型液状化粧品容器の上蓋を外した状態を示す断面図である。
【符号の説明】
１０　携帯型液状化粧品容器
１１　上蓋
１１ａ　リング
１２　本体
１２ａ　吐出部
１２ｂ　小球
１２ｃ　雄ねじ
１２ｄ　注入口
１２ｅ　吐出孔
１２ｆ　収容部
１２ｇ　肩部
１２ｈ　壁部
１２ｉ　ばね
１３　　底蓋
１３ａ　雌ねじ
１３ｂ　壁部
１４　　Ｏリング
１４ａ　雄ねじ
１４ｂ　鍔部
１５　　Ｏリング
１７　　通路
２０　携帯型液状化粧品容器
２１　上蓋
２１ａ　リング
２２　吐出部材
２２ａ　雄ねじ
２２ｂ　吐出孔
２２ｃ　雄ねじ
２２ｅ　小球
２２ｉ　ばね
２３　本体
２３ａ　雄ねじ
２３ｂ　注入口
２３ｃ　雌ねじ
２３ｄ　収容部
２４　Ｏリング
２５　Ｏリング
３０　携帯型液状化粧品容器
３１　上蓋
３１ａ　リング
３２　本体
３２ａ　吐出部
３２ｂ　小球
３２ｃ　雄ねじ
３２ｄ　注入口
３２ｅ　雌ねじ
３２ｆ　収容部
３２ｇ　壁部
３２ｈ　吐出孔
３２ｉ　ばね
３４　　底蓋
３４ａ　雄ねじ
３４ｂ　鍔部
３５　　Ｏリング
４０　携帯型液状化粧品容器
４１　上蓋
４１ａ　リング
４２　本体
４２ａ　吐出部
４２ｂ　小球
４２ｃ　雄ねじ
４２ｄ　注入口
４２ｅ　収容部
４２ｆ　吐出孔
４２ｇ　壁部
４２ｉ　ばね
４３　　雌ねじ部材
４３ａ　鍔部
４３ｂ　雌ねじ
４４　　底蓋
４４ａ　雄ねじ
４４ｂ　鍔部
４５　　Ｏリング
４６　　Ｏリング
４７　　綿材
【図１】
2004129712.tif 000003
【図２】
2004129712.tif 000004
【図３】
2004129712.tif 000005
【図４】
2004129712.tif 000006
【図５】
2004129712.tif 000007
【図６】
2004129712.tif 000008
【図７】
2004129712.tif 000009
【図８】
2004129712.tif 000010
【図９】
2004129712.tif 000011